(57)【要約】【課題】ラベル貼り機４０に使用されるブラシシステム１を提供する。【解決手段】上記ブラシシステム１は、複数のレセプタクル３２を有するキャリア３０と、上記キャリア３０に係脱可能に取り付けられる少なくとも２つのブラシ素子１０とから構成される。それぞれのブラシ素子１０は、その第１の側における剛毛１４付きの機能側１３と、その第２の側におけるキャリア側１２とを含むブラシ本体１１を備える。それぞれのブラシ素子１０の上記キャリア側１２は、上記キャリア３０のレセプタクル３２とともに係脱可能な取り付けに提供する少なくとも１つのクランプ手段１５を備える。それぞれのクランプ手段１５は、上記レセプタクル３２の中の１つに係止される少なくとも２つの弾性係合爪１６を備える。【選択図】図１
2010036987.tif 000002
【特許請求の範囲】
【請求項１】
ラベル貼り機に使用されるブラシシステムであって、
その第１の側における剛毛付きの機能側と、その第２の側におけるキャリア側とを有するブラシ本体をそれぞれ備える少なくとも２つのブラシ素子と、
それぞれのブラシ素子の前記キャリア側に備えられる少なくとも１つのクランプ手段と、
複数のレセプタクルを有するキャリアとを備え、
前記ブラシ素子は、前記クランプ手段に係脱可能に取り付けられ、
それぞれのクランプ手段は、前記レセプタクルの中の１つに係止される、少なくとも２つの弾性係合爪を備えるブラシシステム。
【請求項２】
それぞれの係合爪が突出部を有し、それぞれのレセプタクルが少なくとも１つの開口を備えることにより、特定のクランプ手段における特定の突出部が対応する開口の後部に係合される、請求項１に記載のブラシシステム。
【請求項３】
それぞれのブラシ素子は、エッジ部を有し、いずれか２つの隣接するブラシ素子の突き合わせエッジ部同士は形状が合致するようにしている、請求項１に記載のブラシシステム。
【請求項４】
前記形状が合致することは、前記ブラシ素子のそれぞれ対向するエッジ部の対応するプロファイルを互いに連結させることにより実現される、請求項３に記載のブラシシステム。
【請求項５】
前記クランプ手段は、ブラシ素子のそれぞれのブラシ本体と一体に製造される、請求項１に記載のブラシシステム。
【請求項６】
前記ブラシ本体及び前記クランプ手段は、熱可塑性材により形成される、請求項５に記載のブラシシステム。
【発明の詳細な説明】
【技術分野】
【０００１】
本願は、２００８年８月６日に出願されたドイツ特許１０ ２００８ ０３６ ６７６．５号に基づき優先権を主張し、その内容を引用としてここに取り込む。本発明はラベル貼り機に使用されるブラシシステムに関する。
【背景技術】
【０００２】
ドイツ特許ＤＥ ３５ １１ ９１０ A１号には、剛毛付きの素子により一定密度を有するブラシアレイを形成する方法、及びその方法により形成されるブラシアレイが開示されている。ブラシアレイは、上記素子によりキャリアに形成される。上記素子は、切欠きとピンにより上記キャリアに取り付けられて互いに連結される。
【０００３】
ドイツ特許ＤＥ ４２ ３４ ４３９には、可撓性ブラシキャリアを有する工業用ブラシが開示されている。素子は、切欠きとピンによりエンドレスベルトキャリアに取り付けられる。
【０００４】
ドイツ考案ＤＥ ２９８ １７ ６５７号には、密集した横断面を有する剛毛付き部を備える、可撓性エンドレスブラシ主体を有する工業用細長いストリップブラシが開示されている。上記ブラシ本体は、可撓性材料から構成される。上記ストリップブラシは、ツールを使わずにこのブラシを別の物体に容易で素早く装着する又は取り付けるためのクランプ手段を備える。これに応じて、内側におけるバーブを有する切欠きが備えられる。別の物体を切欠きに挿入する。上記バーブにより上記別の物体を切欠きに保持する。
【０００５】
ドイツ特許ＤＥ １９７ ２６ ９７０号には、支持軸に素早くて容易に着脱可能で、回転ブラシに使用される複数のブラシ本体素子を有するブラシ本体が開示されている。上記ブラシ本体は、突き合わせた軸方向エッジを有する２つの半殻から構成される円筒殻である。半殻における凹部と、隣接する殻素子に取り付けられた又は堅固に取付け可能な接続素子と、凹部における突出部とは、ブラシ本体素子の着脱に用いられる。接続素子は、突出部の後部に係合することができる。このように、２つの半殻の間には、ブラシ本体の円周に沿って非永久的で形状が合致するような接続が形成される。
【０００６】
ドイツ特許ＤＥ １００ ５２ １１９号には、きれいに保つ又は円柱状主体を洗浄するための扇形環ブラシが開示されている。具体的には、上記円柱状主体は、ＵＶ消毒装置における石英被覆管であり、特に、廃水消毒用のＵＶ消毒通路である。上記扇形環ブラシは、扇形素子から構成される。上記扇形素子は、包装に取り付けられる前にトリミング可能であり、１つずつ、又は、接続の手段（例えば、円周に沿う連接棒）により環状包装に取り付けられる。
【０００７】
ヨーロッパ特許ＥＰ ０ ３３９ ９３３ Ｂ１号のドイツ語訳であるドイツ特許ＤＥ ６８９ ０７ ２６２ Ｔ２号には、回転式仕上げブラシ用のブラシ部及びその製造装置と方法が開示されている。それには、ハブに取り付けられる第１のベースと、剛毛が第１のベースに固定されるとともに、第１のベースの第１の表面から外へ延びる剛毛層とを備える円柱状ブラシ装置が記載されている。さらに、第２のベースと、剛毛が第２のベースに固定されるとともに、第２のベースの第１の表面から外へ延びる剛毛層とが記載されている。ブラシ素子は、ブラシ本体のそれぞれの第１又は第２のベースにおけるルートエレメントによりハブに係脱可能に取り付けられる。
【発明の概要】
【発明が解決しようとする課題】
【０００８】
本発明は、支障なく容易で、かつ素早くて省コストに交換可能な少なくとも２つのブラシ素子を有するブラシシステムを提供することを目的とする。このブラシシステムの構成は、その形状、サイズや種類に制限がなく、最小数の異なるタイプのブラシ素子を備えている。
【課題を解決するための手段】
【０００９】
上述した目的は、下記のようなブラシシステムにより実現される。このブラシシステムは、
その第１の側における剛毛付きの機能側と、その第２の側におけるキャリア側とを有するブラシ本体をそれぞれ備える少なくとも２つのブラシ素子と、
それぞれのブラシ素子の上記キャリア側に備えられる少なくとも１つのクランプ手段と、
複数のレセプタクルを有するキャリアとを備え、
上記ブラシ素子は上記クランプ手段に係脱可能に取り付けられ、
それぞれのクランプ手段は上記レセプタクルの中の１つに係止される少なくとも２つの弾性係合爪を備えるブラシシステムである。
【００１０】
本発明は、特に、その第１の側における剛毛付きの機能側と、その第２の側におけるキャリア側とを有するブラシ本体をそれぞれ備える少なくとも２つのブラシ素子と、キャリアとを備えるブラシシステムに関する。それぞれのブラシ素子の上記キャリア側には、上記キャリアのレセプタクルとともに係脱可能な取付けに提供する少なくとも１つのクランプ手段を備える。
【００１１】
本発明は、キャリアに係脱可能に取り付けられてブラシシステムを構成する複数のブラシ素子を有するラベル貼り機に好適に使用される。
【００１２】
本発明のブラシシステムは、少なくとも２つのブラシ素子と、ブラシ素子用の複数のレセプタクルを有するキャリアとから構成される。できるだけ類似するタイプの複数のブラシ素子を必要に応じてキャリアに着脱することで、ブラシシステムの配置が可変かつモジュール式になる。それぞれのブラシ素子は、少なくとも２つの側面又は表面を有するブラシ本体を備える。
【００１３】
ブラシ素子のブラシ本体の第１の側は剛毛を保持する機能側である。
【００１４】
ブラシ素子のブラシ本体の第２の側は、第１の側と対向し、キャリアと協力するキャリア側である。少なくとも１つのクランプ手段は、それぞれのブラシ素子のキャリア側に取り付けられ、上記キャリアのレセプタクルの中の１つとともに係脱可能な取付けに提供する。本発明によれば、それぞれのクランプ手段が上記レセプタクルの中の１つに係止される少なくとも２つの弾性係合爪を有する。好ましくは、それぞれの係合爪が突出部を有し、それぞれのレセプタクルが開口を有し、これにより、特定のクランプ手段における特定の突出部が対応する開口の後部に係合される。弾性係合爪により、ブラシ素子は容易に、素早く且つツールなしで上記キャリアのレセプタクルに挿脱可能になる。さらに、ブラシ素子は、キャリアの後部に係合される係合爪の突出部により、上記キャリアに堅固に締め付けられる。
【００１５】
もう一つの利点として、いずれか２つの隣接するブラシ素子の突き合わせエッジ部は形状が合致するように接することで、ブラシシステムは均一で均質な剛毛表面を備えることが分かる。ここで、ブラシ素子のそれぞれの対向するエッジ部の対応するプロファイルを互いに連結させることにより実現される形状の合致は、特にブラシ素子が高速にブラッシングする場合に起こりうる振動により受けた高い応力を解消することに好適であることも分かる。エッジのプロファイルは、Ｚ字形、台形又は波形を含んでもよい。プロファイルの形状が本発明の範囲を限定しないことは当業者であれば明らかである。
【００１６】
本発明のクランプ手段がブラシ素子のブラシ本体と一体に製造され、例えば、熱可塑性材料により製造されることは、材料及びコスト効率の観点から好ましい。
【００１７】
ラベル貼り機は、本発明による複数のブラシ素子を使用する。上記のように、ブラシ素子はできるだけ同じタイプで、キャリアに係脱可能に取り付けられる。ラベル貼り機は、例えば、異なる形状のキャリアを有することで、紙、プラスチックや複合材料からなるラベルをボトルの主体や頸状部にブラシする、及び/又は、錫箔、プラスチックや複合材料からなる保護ラベルをボトルの頂部にブラシすることに適用される。キャリアはブラシされる素子の機能と形状（例えば、フラット且つ平らな形状、アーチ形又は円柱状）に応じて異なる形状を有してもよい。
【００１８】
本発明及びその利点について、図面を参照しながら下記の実施形態によって説明する。図面には、特定の素子同士のサイズ比は実際のサイズ比にいつも対応するわけではない。それは、ある形状が簡略に示され、ほかの形状が説明の便宜上、別の素子に対して拡大されたからである。
【図面の簡単な説明】
【００１９】
【図１】複数のブラシ素子がキャリアに取り付けられたブラシシステムの実施形態を示す斜視図である。
【図２】図１によるブラシシステムの機能側を示す平面図である。
【図３】図１によるブラシシステムのキャリアを示す平面図である。
【図４】図１によるブラシシステムを示す側面図である。
【図５】それぞれが異なるクランプ手段を備える、ブラシ素子の３つの異なる実施形態を示す斜視図である。
【図６】図５によるブラシ素子の３つの異なる実施形態の下方から見た斜視図である。
【図７】アーチ形のキャリアと剛毛からなる平らなブラシ表面とを有するブラシシステムの他の実施形態を示す斜視図である。
【図８】図７によるブラシシステムのブラシ素子の機能側を示す平面図である。
【図９】アーチ形のキャリアと、キャリアに取り付けられるブラシ素子により形成される剛毛からなる凸状のブラシ表面とを有するブラシシステムの他の実施形態を示す側面図である。
【図１０】アーチ形のキャリアと、キャリアに取り付けられるブラシ素子により形成される剛毛からなる凹状のブラシ表面とを有するブラシシステムの他の実施形態を示す側面図である。
【発明を実施するための形態】
【００２０】
本発明における同一の素子や同じように機能する素子に対して同じ参照番号を付する。各図面において明らかに示すために、それぞれの図面の説明に必要な参照番号のみを示している。下記の実施形態は、本発明の装置又は方法を実施する例を示すものに過ぎず、本発明を限定するものではない。
【００２１】
図１は、複数のブラシ素子１０がキャリア３０に取り付けられたブラシシステム１の実施形態を示す斜視図である。この図には、本実施形態における形状が長方形の平面板であるキャリア３０が示されている。３つのブラシ素子１０１，１０２，１０３はキャリア３０に係脱可能に取り付けられ、Ｚ字形点線に示すように、形状が合致するように互いに連結されている（図２参照）。キャリア３０は、単一の部材であり、Ｚ字形線は、ブラシ素子１０１，１０２，１０３のキャリアにおける配置のみを示す。
【００２２】
ブラシ素子１０３に比べると、ブラシ素子１０１，１０２は、同一の形状と大きさを有する。ブラシ素子１０３は、その長辺の中の一方をブラシ素子１０１，１０２両方の短辺に突き合わせるようにキャリア３０に設置され、これにより、ブラシ素子１０１，１０２を横切ることになり、周知のようにブラシ素子１０１，１０２，１０３のキャリア３０における特別の安定性が与えられる。なお、後述する請求の範囲を逸脱しない限り、ブラシ素子１０１，１０２，１０３のサイズを変更又は変化させたり、異なる設置技術を使用したりすることができることは、当業者であれば明らかである。
【００２３】
この実施形態では、キャリア３０は、長方形で、挿入された６つのクランプ手段１５１，１５２，…１５６に合わせる形状と大きさを有する６つのレセプタクル３２又は開口を示している。クランプ手段１５１，１５２はブラシ本体１１１に設置され、クランプ手段１５３，１５４はブラシ本体１１２に設置され、クランプ手段１５５，１５６はブラシ本体１１３に設置される。この実施形態では、また安定性のために、ブラシ素子１０の２つのクランプ手段１５は、互いに横切るように配向される。
【００２４】
クランプ手段１５１，１５２，…、１５６のいずれも、それぞれキャリア３０の後部に係合される突出部１７を備える２つの係合爪１６を有する。係合爪１６は、弾性材からなるので、押さえ合わせることができ、その状態で突出部１７とともにレセプタクル３２を通過することができる。このように、対応するブラシ素子１０もキャリア３０から外されることが可能である。ここに示すように、それぞれのブラシ素子１０に精々２つのクランプ手段１５が設置されると、ユーザーは、ブラシ素子１０をキャリア３０から容易に手動で外すことができる。この実施形態では、ブラシ本体１１１，１１２，１１３は、そのエッジ部１８にＺ字形のプロファイル１９を有する。
【００２５】
図２は、図１によるブラシシステム１の３つのブラシ素子１０１，１０２，１０３の機能側１３を示す平面図である。ブラシシステム１のエッジには、キャリア３０のブラシ素子１０１，１０２，１０３に面する表面が見られる。ブラシ素子１０１，１０２，１０３は、図１に示すように、形状が合致するように互いに連結され、また、機能側１３に挿入された複数の剛毛１４からなる均一且つ均質のブラシ表面を備える。
【００２６】
剛毛１４は、一般に、ブラシ素子１０の製造（好ましくは射出成形による製造）期間中にすでに挿入されている。
【００２７】
図３は、図１のブラシシステム１のブラシ素子１０１，１０２，１０３のキャリア３０のキャリア側１２（図示せず）に対向する側を示す平面図である。ブラシ素子１０１，１０２，１０３は、キャリア３０に取り付けられるが、この平面図には、クランプ手段１５１，１５２，…、１５６のキャリア３０を通過する係合爪１６の突出部１７の末端しか見られない。
【００２８】
突出部１７の外縁２２は、対応するクランプ手段１５１，１５２，…、１５６の中心に対してレセプタクル３２のエッジ３３を越えるように延びるので、突出部１７がキャリア３０の後部に係合される。
【００２９】
図４は、図１によるブラシシステム１を示す側面図である。この側面図には、ブラシ素子１０２，１０３しか見られないが、その外形はエッジ部１８のＺ字形のプロファイル１９のために見られない。
【００３０】
キャリア３０に背向けて、ブラシ素子１０２，１０３の２つの見られるブラシ本体１１２，１１３は、それぞれ機能側１３を有するが、ここでは剛毛が示されていない。クランプ手段１５１，１５２，…、１５６の係合爪１６がキャリアに係止されると、対応するブラシ本体１１２，１１３のキャリア側１２はキャリア３０に取り付けられる。選択された図面は、最前面にあるクランプ手段１５２，１５３，１５４、及びクランプ手段１５４の後部にあるクランプ手段１５５を示している。
【００３１】
図５は、それぞれが異なるクランプ手段１５を備えるブラシ素子１０１，１０２，１０３の３つの異なる実施形態を示す斜視図である。ブラシ素子１０１は、さらに、クランプ手段１５１，１５２の間にある結び目２０を備える。上記結び目２０はガイドとして、ブラシ素子１０１をキャリア３０に取り付けることに提供する。２つの外部クランプ手段１５３，１５４に加え、ブラシ素子１０３は、ブラシ素子１０３のキャリア３０における付加的な固定及びさらなる安定を与えるクランプ手段１５５を具備してもよい。これは、特にブラシ素子１０が長い場合に好適である。
【００３２】
図６は、図５によるブラシ素子１０の３つの異なる実施形態の下方から見た斜視図である。いずれの素子も図５に説明されている。
【００３３】
図７は、アーチ形のキャリア３０と剛毛１４（図示せず）付きの平らなブラシ表面を有するブラシシステム１のほかの実施形態を示す斜視図である。上記キャリア３０の平らな表面の下方に、複数のブラシ素子１０は係脱可能に取り付けられ、その外形が同様にエッジ部１８のＺ字形のプロファイル１９のために図には見られない。
【００３４】
キャリア３０のアーチの長い凸側３５におけるブラシ素子１０の長方形のクランプ手段１５は、一列に配列され、その長い側がアーチの長い側３５に沿って配向される。一方、キャリア３０のアーチの短い凹側３６におけるクランプ手段１５は、一列に配列され、その短い側がアーチの短い側３６に沿って配向される。この配置により、クランプ手段１５は、複数対の対向するクランプ手段１５を形成し、それぞれの１対における一方の部材がアーチの長い側３５、他方の部材がアーチの短い側３６にあり、上述したように、それぞれの1対の部材が相互に横切るように配向され、これにより、キャリア３０に対する安定な取り付けが向上する。
【００３５】
図８は、図７によるブラシシステム１のブラシ素子１０の機能側１３を示す平面図である。ブラシシステム１のエッジには、キャリア３０のブラシ素子１０に面する表面が見られる。この実施形態には、アーチにおける配置により、長方形のブラシ素子１０は形状が完全に合致するようなコンタクトを形成していない。
【００３６】
図９は、取り付けられたブラシ素子１０に剛毛１４付きの凸状のブラシ表面が形成された、アーチ形のキャリア３０を有するブラシシステム１のほかの実施形態を示す側面図である。キャリア３０を取り付ける場合に、凸状のブラシ表面の曲率はラベル貼り機におけるボルト３４により調整・設定される。
【００３７】
図１０は、取り付けられたブラシ素子１０に剛毛１４付きの凹状のブラシ表面が形成された、アーチ形のキャリア３０を有するブラシシステム１のほかの実施形態を示す側面図である。キャリア３０を取り付ける場合に、凹状のブラシ表面の曲率はラベル貼り機におけるボルト３４により調整・設定される。
【００３８】
好ましい実施形態について、本発明を説明したが、下記の請求の範囲を逸脱しない限り、修飾や変更を加えることができることは当業者であれば明らかである。特に、下記の請求の範囲を逸脱せずに、キャリア３０、係合爪１６、突出部１７及び/又はレセプタクル３２を異なる形状にすることができる。本発明のいずれの実施形態においても、特に係合爪の弾性が重要である。
【図１】
2010036987.tif 000003
【図２】
2010036987.tif 000004
【図３】
2010036987.tif 000005
【図４】
2010036987.tif 000006
【図５】
2010036987.tif 000007
【図６】
2010036987.tif 000008
【図７】
2010036987.tif 000009
【図８】
2010036987.tif 000010
【図９】
2010036987.tif 000011
【図１０】
2010036987.tif 000012